(57)【特許請求の範囲】
【請求項１】
使用者の操作によって複数の弁を開閉することにより、水路を切換可能な水路切換装置であって、
ロック位置とロック解除位置との間で、中心軸線を中心に回動可能に配置された回転ロック部材と、
この回転ロック部材に沿って夫々配置され、上記中心軸線に略平行な方向に夫々移動可能に支持され、且つ初期位置と押込位置との間で移動される複数の操作カム部と、
これらの操作カム部と共に移動されるように夫々設けられ、上記複数の弁の弁体に操作力を作用させることにより各弁体を開閉させる複数の操作部材と、
上記複数の操作カム部を、上記初期位置に向けて夫々付勢するカム部付勢手段と、
上記回転ロック部材に設けられ、上記各操作カム部と夫々接触することにより、上記回転ロック部材を上記中心軸線を中心に回動させる複数の押圧部と、
上記回転ロック部材に形成された複数の係合部と、を有し、これらの係合部は、夫々、上記操作カム部と係合することにより上記操作カム部を上記押込位置に保持する係合爪を備え、
さらに、
上記回転ロック部材を、上記ロック位置に向けて付勢するロック部材付勢部材を有し、
上記複数の操作カム部のうちの第１の操作カム部が、操作力により上記初期位置から押し込まれると、上記第１の操作カム部により上記押圧部が押圧されて上記回転ロック部材が上記ロック位置から上記ロック解除位置に回動され、これにより、上記押込位置に保持されていた第２の操作カム部の上記係合爪との係合が解除され、上記第２の操作カム部が上記初期位置に復帰されると共に、上記第１の操作カム部が上記押込位置まで押し込まれると、上記回転ロック部材が上記ロック位置に復帰され、上記第１の操作カム部が上記押込位置に保持されることを特徴とする水路切換装置。
【請求項２】
さらに、上記回転ロック部材に沿って配置され、上記中心軸線に略平行な方向に移動可能に支持され、且つ初期位置と押込位置との間で移動されるリセット用カム部と、
このリセット用カム部を上記初期位置に向けて付勢するリセット用カム部付勢手段と、
上記回転ロック部材に設けられ、上記リセット用カム部が上記押込位置に押し込まれると、上記回転ロック部材を上記ロック解除位置に回動させるリセット用突出部と、を有し、
上記リセット用カム部に作用する押圧力が除去されると、上記リセット用カム部が上記初期位置に復帰される請求項１記載の水路切換装置。
【請求項３】
さらに、上記中心軸線上にピボット点が配置され、上記ピボット点を中心に傾動されることにより、上記各操作カム部が上記押込位置に押し込まれる傾動操作部材を有する請求項１又は２に記載の水路切換装置。
【請求項４】
上記回転ロック部材は、環状の部材である請求項１乃至３の何れか１項に記載の水路切換装置。
【請求項５】
上記カム部付勢手段は、上記操作カム部を上記初期位置に向けて付勢する部材により構成されている請求項１乃至４の何れか１項に記載の水路切換装置。
【請求項６】
上記リセット用カム部付勢手段は、上記リセット用カム部を上記初期位置に向けて付勢する部材により構成されている請求項２乃至５の何れか１項に記載の水路切換装置。
【請求項７】
上記回転ロック部材に設けられた上記押圧部と上記係合部が一体に構成されている請求項１乃至６の何れか１項に記載の水路切換装置。
【請求項８】
上記押圧部は斜面により構成され、上記操作カム部が上記斜面を押圧することにより、上記回転ロック部材が上記中心軸線を中心に回動される請求項１乃至７の何れか１項に記載の水路切換装置。
【請求項９】
上記係合部は、上記中心軸線と平行な方向に延びるように、上記回転ロック部材に形成されている請求項１乃至８の何れか１項に記載の水路切換装置。
【請求項１０】
上記ロック部材付勢部材は複数備えられ、上記中心軸線を中心とする円周上に等間隔に配置されている請求項１乃至９の何れか１項に記載の水路切換装置。
【請求項１１】
さらに、上記回転ロック部材の回動を案内する回転ガイド部材を有する請求項１乃至１０の何れか１項に記載の水路切換装置。
【請求項１２】
さらに、上記操作カム部の、上記中心軸線に略平行な方向の移動を案内するカムガイド部材を有する請求項１乃至１１の何れか１項に記載の水路切換装置。
【請求項１３】
さらに、上記傾動操作部材が傾動される方向を、所定の複数の方向に規制する傾動規制部材を有する請求項３乃至１２の何れか１項に記載の水路切換装置。
【請求項１４】
弁の開閉により吐水状態を切換可能なハンドシャワーヘッドであって、
シャワーヘッド本体と、
複数の散水孔が設けられた散水板と、
上記請求項１乃至１３の何れか１項に記載の水路切換装置と、
を有することを特徴とするハンドシャワーヘッド。
【発明の詳細な説明】
【技術分野】
【０００１】
本発明は、水路切換装置に関し、特に、押圧操作によって複数の弁を開閉することにより、水路を切換可能な水路切換装置、及びそれを備えたハンドシャワーヘッドに関する。
【背景技術】
【０００２】
近年、複数の吐水モードを切り換えて使用することができるハンドシャワーヘッドが開発されている。このようなハンドシャワーヘッドにおいては、シャワーヘッド本体内に内蔵された弁体を操作することにより、内部の水路を切り換えて、吐水形態を変更している。
【０００３】
実開平６−４１８８７号公報（特許文献１）には、水路切換弁が記載されている。この水路切換弁は家庭用の浄水器に組み込まれる水路切換弁であり、一直線上に配置された３つのプッシュボタンを押圧操作することにより、吐水形態を濾過水、原水、シャワー水に切り換えられるようになっている。実開平６−４１８８７号公報記載の水路切換弁においては、３つの水路を切り換える３つの弁体として夫々ボールが使用されている。使用者により何れかのプッシュボタンが押し込まれると、そのプッシュボタンの先端がボールを移動させ、開弁される。
【０００４】
また、水路切換弁には、押し込まれたプッシュボタンを押し込み位置に保持するためのスライド板が内蔵されている。１つのプッシュボタンが押し込み位置に移動される際、このスライド板がスライドされ、これまで押し込み位置に保持されていた他のプッシュボタンのロックが解除されて初期位置に復帰される。一方、押し込み操作されたプッシュボタンが押し込み位置まで移動されると、スライド板が元の位置に復帰され、押し込まれたプッシュボタンは押し込み位置に保持される。ここで、押し込まれたプッシュボタンに対応するボールは弁座から移動されて開弁され、一方、初期位置に復帰されたプッシュボタンに対応するボールは弁座に着座されて、閉弁される。これにより、初期位置に復帰されたプッシュボタンに対応する吐水は停止され、押し込み位置に保持されたプッシュボタンに対応する吐水が開始される。
【０００５】
このように、実開平６−４１８８７号公報記載の水路切換弁では、プッシュボタンの押圧操作により、複数の水路を簡単に切り換えることを可能とし、操作性を向上させている。
【先行技術文献】
【特許文献】
【０００６】
【特許文献１】実開平６−４１８８７号公報
【発明の概要】
【発明が解決しようとする課題】
【０００７】
しかしながら、実開平６−４１８８７号公報記載の水路切換弁では、各プッシュボタンを押し込み位置に保持し、また、保持を解除するためにスライド板がスライド移動される。このために、実開平６−４１８８７号公報記載の水路切換弁においては、スライド板をスライド移動させるための余分なスペースが必要となり、この機構を一般的な大きさのハンドシャワーヘッド等に組み込むのが難しいという問題がある。
【０００８】
また、この機構を採用した場合には、複数のプッシュボタンを一直線上に配置する必要があるので、ハンドシャワーヘッド等に組み込むと操作性が悪くなる。即ち、ハンドシャワーヘッドの吐水形態を切り換える場合には、シャワーヘッドを把持している方の手の指で各プッシュボタンを操作できることが、操作性の上で好ましい。しかしながら、実開平６−４１８８７号公報記載の水路切換弁では複数のプッシュボタンが一直線上に配置されるので、操作する指を大きく動かす必要があり、シャワーヘッドを把持している手の指で、夫々のプッシュボタンを操作することが困難となる。特に、ハンドシャワーヘッドは、通常、浴室において水に濡れた手指で操作するものであるため、僅かな操作性の相違が、使用者による操作感に大きな影響を及ぼす結果となる。
【０００９】
従って、本発明は、押圧操作によって複数の弁を開閉することができ、小さなスペースに組み込むことができる水路切換装置、及びそれを備えたハンドシャワーヘッドを提供することを目的としている。
【００１０】
また、本発明は、複数の弁を開閉するための操作部を集約的に配置することができる水路切換装置、及びそれを備えたハンドシャワーヘッドを提供することを目的としている。
【課題を解決するための手段】
【００１１】
上述した課題を解決するために、本発明は、使用者の操作によって複数の弁を開閉することにより、水路を切換可能な水路切換装置であって、ロック位置とロック解除位置との間で、中心軸線を中心に回動可能に配置された回転ロック部材と、この回転ロック部材に沿って夫々配置され、中心軸線に略平行な方向に夫々移動可能に支持され、且つ初期位置と押込位置との間で移動される複数の操作カム部と、これらの操作カム部と共に移動されるように夫々設けられ、複数の弁の弁体に操作力を作用させることにより各弁体を開閉させる複数の操作部材と、複数の操作カム部を、初期位置に向けて夫々付勢するカム部付勢手段と、回転ロック部材に設けられ、各操作カム部と夫々接触することにより、回転ロック部材を中心軸線を中心に回動させる複数の押圧部と、回転ロック部材に形成された複数の係合部と、を有し、これらの係合部は、夫々、操作カム部と係合することにより操作カム部を押込位置に保持する係合爪を備え、さらに、回転ロック部材を、ロック位置に向けて付勢するロック部材付勢部材を有し、複数の操作カム部のうちの第１の操作カム部が、操作力により初期位置から押し込まれると、第１の操作カム部により押圧部が押圧されて回転ロック部材がロック位置からロック解除位置に回動され、これにより、押込位置に保持されていた第２の操作カム部の係合爪との係合が解除され、第２の操作カム部が初期位置に復帰されると共に、第１の操作カム部が押込位置まで押し込まれると、回転ロック部材がロック位置に復帰され、第１の操作カム部が押込位置に保持されることを特徴としている。
【００１２】
このように構成された本発明においては、カム部付勢手段によって初期位置に向けて付勢されている複数の操作カム部は、移動可能に支持され、且つ初期位置と押込位置との間で移動される。複数の操作部材は、操作カム部と共に移動されるように夫々設けられ、複数の弁の弁体に操作力を作用させることにより各弁体を開閉させる。一方、中心軸線を中心に、ロック位置とロック解除位置との間で回動可能に配置された回転ロック部材には、複数の係合部が設けられている。これらの係合部には、夫々、操作カム部と係合することにより操作カム部を押込位置に保持する係合爪が備えられている。また、回転ロック部材は、ロック部材付勢部材によりロック位置に向けて付勢されていると共に、複数の操作カム部は、回転ロック部材の回動する軌道に沿って夫々配置されている。ここで、複数の操作カム部のうちの第１の操作カム部が、操作力により初期位置から押し込まれると、第１の操作カム部により押圧部が押圧されて回転ロック部材がロック位置からロック解除位置に回動される。このロック解除位置への回動により、押込位置に保持されていた第２の操作カム部の係合爪との係合が解除され、第２の操作カム部が初期位置に復帰される。さらに、第１の操作カム部が押込位置まで押し込まれると、回転ロック部材がロック位置に復帰され、第１の操作カム部が押込位置に保持される。
【００１３】
このように構成された本発明によれば、ロック位置とロック解除位置との間で回動可能に配置された回転ロック部材が回動可能に構成されているので、水路切換装置を小さなスペースに組み込むことができる。また、本発明によれば、複数の操作カム部が回転ロック部材の回動する軌道に沿って夫々配置されているので、操作部を集約的に配置することが可能になり、操作性を向上させることができる。
【００１４】
本発明において、好ましくは、さらに、回転ロック部材に沿って配置され、中心軸線に略平行な方向に移動可能に支持され、且つ初期位置と押込位置との間で移動されるリセット用カム部と、このリセット用カム部を初期位置に向けて付勢するリセット用カム部付勢手段と、回転ロック部材に設けられ、リセット用カム部が押込位置に押し込まれると、回転ロック部材をロック解除位置に回動させるリセット用突出部と、を有し、リセット用カム部に作用する押圧力が除去されると、リセット用カム部が初期位置に復帰される。
【００１５】
このように構成された本発明においては、リセット用カム部が押込位置に押し込まれると、回転ロック部材はロック解除位置に回動される。この際、押込位置に保持されていた何れの操作カム部も初期位置に復帰され、さらに、リセット用カム部に作用する押圧力が除去されると、リセット用カム部も初期位置に復帰される。
【００１６】
このように構成された本発明によれば、各操作カム部がどのような状態になっている場合でも、リセット用カム部の一回の操作により、全ての操作カム部が初期位置にある状態に復帰させることができる。
【００１７】
本発明において、好ましくは、さらに、中心軸線上にピボット点が配置され、ピボット点を中心に傾動されることにより、各操作カム部が押込位置に押し込まれる傾動操作部材を有する。
【００１８】
このように構成された本発明によれば、傾動操作部材を傾動させることにより各操作カム部を押込位置に押し込むことが可能になり、操作を行う部分を極めて集約的に配置することが可能になる。
【００１９】
本発明において、好ましくは、回転ロック部材は、環状の部材である。
このように構成された本発明によれば、回転ロック部材が環状に構成されているので、回転ロック部材は、これを回転駆動するための外力により変形されにくく、回転ロック部材を確実に作動させることができる。
【００２０】
本発明において、好ましくは、カム部付勢手段は、操作カム部を初期位置に向けて付勢する部材により構成されている。
このように構成された本発明によれば、カム部付勢手段は、操作カム部を初期位置に向けて付勢する部材により構成されているので、常に安定した付勢力を得ることができ、操作カム部を確実に初期位置に復帰させることができる。
【００２１】
本発明において、好ましくは、リセット用カム部付勢手段は、リセット用カム部を初期位置に向けて付勢する部材により構成されている。
このように構成された本発明によれば、リセット用カム部付勢手段は、リセット用カム部を初期位置に向けて付勢する部材により構成されているので、常に安定した付勢力を得ることができ、リセット用カム部を確実に初期位置に復帰させることができる。
【００２２】
本発明において、好ましくは、回転ロック部材に設けられた押圧部と係合部が一体に構成されている。
このように構成された本発明によれば、押圧部と係合部が一体に構成されているので、回転ロック部材を簡単な構造にすることができる。
【００２３】
本発明において、好ましくは、押圧部は斜面により構成され、操作カム部が斜面を押圧することにより、回転ロック部材が中心軸線を中心に回動される。
このように構成された本発明によれば、押圧部が斜面により構成されているので、簡単な構造で、操作カム部の直線運動を回転ロック部材の回転運動に変換することができる。
【００２４】
本発明において、好ましくは、係合部は、中心軸線と平行な方向に延びるように、回転ロック部材に形成されている。
このように構成された本発明によれば、係合部が中心軸線と平行な方向に延びるように形成されているので、係合部を設けることにより回転ロック部材が半径方向に拡大することがなく、回転ロック部材を小型化することができる。
【００２５】
本発明において、好ましくは、ロック部材付勢部材は複数備えられ、中心軸線を中心とする円周上に等間隔に配置されている。
このように構成された本発明によれば、ロック部材付勢部材が中心軸線を中心とする円周上に等間隔に配置されているので、回転ロック部材に作用する付勢力が均一化され、回転ロック部材を円滑に回動させることができる。
【００２６】
本発明において、好ましくは、さらに、回転ロック部材の回動を案内する回転ガイド部材を有する。
このように構成された本発明によれば、回転ロック部材の回動を案内する回転ガイド部材が備えられているので、回転ロック部材を円滑に回動させることができる。
【００２７】
本発明において、好ましくは、さらに、操作カム部の、中心軸線に略平行な方向の移動を案内するカムガイド部材を有する。
このように構成された本発明によれば、操作カム部の移動を案内するカムガイド部材が備えられているので、操作カム部により押圧部が確実に押圧され、操作カム部の移動により、効率的に回転ロック部材を回動させることができる。
【００２８】
本発明において、好ましくは、さらに、傾動操作部材が傾動される方向を、所定の複数の方向に規制する傾動規制部材を有する。
このように構成された本発明によれば、傾動操作部材が傾動される方向が傾動規制部材により規制されるので、傾動操作部材により複数の操作カム部が同時に押し込まれるのを回避することができ、水路切換装置を確実に作動させることができる。
【００２９】
また、本発明は、弁の開閉により吐水状態を切換可能なハンドシャワーヘッドであって、シャワーヘッド本体と、複数の散水孔が設けられた散水板と、本発明の水路切換装置と、を有することを特徴としている。
【００３０】
このように構成された本発明によれば、シャワーヘッド本体を大型化することなく、複数の水路を切換可能な水路切換装置を組み込むことができると共に、複数の弁の開閉用の操作部を集約的に配置することにより操作性を向上させることができる。
【発明の効果】
【００３１】
本発明の水路切換装置、及びそれを備えたハンドシャワーヘッドによれば、押圧操作によって複数の弁を開閉することができ、小さなスペースに組み込むことができる。
また、本発明の水路切換装置、及びそれを備えたハンドシャワーヘッドによれば、複数の弁を開閉するための操作部を集約的に配置することができる。
【図面の簡単な説明】
【００３２】
【図１】本発明の実施形態によるハンドシャワーヘッドの外観を示す斜視図である。
【図２】本発明の実施形態によるハンドシャワーヘッドの断面図である。
【図３】ハンドシャワーヘッドに内蔵されている水路切換装置の部分を拡大して示す断面図である。
【図４】ハンドシャワーヘッドに内蔵されている水路切換装置の分解斜視図である。
【図５】ハンドシャワーヘッド内において切り換えられる水路を示す断面図である。
【図６】水路切換装置に内蔵されている弁体の斜視図である。
【図７】水路切換装置に備えられている円環状ロック部材の斜視図である。
【図８】水路切換装置に備えられているカム構成部材の斜視図である。
【図９】水路切換装置に備えられている操作部カバー部材の斜視図である。
【図１０】水路切換装置に備えられている操作部カバー部材の斜視断面図である。
【図１１】ハンドシャワーヘッドに内蔵されている水路切換装置の作用を説明するための図である。
【図１２】ハンドシャワーヘッドに内蔵されている水路切換装置の作用を説明するための図である。
【発明を実施するための形態】
【００３３】
次に、添付図面を参照して、本発明の実施形態によるハンドシャワーヘッドを説明する。
図１は、本発明の実施形態によるハンドシャワーヘッドの外観を示す斜視図である。
【００３４】
図１に示すように、本実施形態のハンドシャワーヘッド１は、シャワーヘッド本体２と、このシャワーヘッド本体２の先端部に取り付けられた散水板４と、止水状態と吐水状態を切り換えると共に、吐水状態のうちの３つの吐水モードを切り換える押し釦６と、を有する。
シャワーヘッド本体２は、使用者が把持する把持部２ａと、この把持部２ａの先端側に設けられ、把持部２ａよりも太くなった散水部２ｂと、を有する。また、散水部２ｂには、散水板４が取り付けられる円形の開口部２ｃが形成されている。また、シャワーヘッド本体２の基端側には、シャワーホース（図示せず）が接続される。
【００３５】
散水板４は、概ね円形の板であり、その中央部には散水ノズルが回転しながら吐水を行うジャイロビート吐水用の散水孔４ａが設けられ、散水孔４ａの周囲にはスプレー吐水用の多数の散水孔４ｂが設けられ、シャワーヘッド本体２の先端側には、滝状吐水用の円弧状の散水孔４ｃが設けられている。
押し釦６は、シャワーヘッド本体２の把持部２ａの開口部２ｃ側に配置された円板状の釦である。この押し釦６を押圧して各方向に傾動させることにより、シャワーヘッド本体２に内蔵された水路切換装置が作動され、ジャイロビート吐水、スプレー吐水、及び滝状吐水の各吐水モード、及び止水状態が切り換えられるようになっている。
【００３６】
次に、図２乃至図８を参照して、本発明の実施形態によるハンドシャワーヘッド１の内部構造を説明する。
図２は、本発明の実施形態によるハンドシャワーヘッドの断面図である。
図２に示すように、シャワーヘッド本体２には、通水路形成部材８と、この通水路形成部材８の先端部に接続された水路切換装置１０と、この水路切換装置１０の先端部に取り付けられた第１散水室形成部材１２と、が内蔵されている。さらに、シャワーヘッド本体２には、第１散水室形成部材１２を覆うように取り付けられた第２散水室形成部材１４と、散水板４の背面側に配置された第３散水室形成部材１６と、この第３散水室形成部材１６の背面側に配置された散水ノズル形成部材１８と、が内蔵されている。また、シャワーヘッド本体２には、ジャイロビート吐水を行うための回転ノズル２０と、この回転ノズル２０を支持する回転ノズル支持部材２２と、が内蔵されている。
【００３７】
通水路形成部材８は、細長い筒状の部材であり、その基端部には、シャワーホース（図示せず）に接続される接続部８ａが形成されている。また、第１通水路形成部材８の先端部８ｂには、水路切換装置１０が接続されている。通水路形成部材８と水路切換装置１０の間にはＯリングが配置され、これらの間の水密性が確保されている。水路切換装置１０の詳細については後述する。
【００３８】
第１散水室形成部材１２は、水路切換装置１０の先端側（下流側）に接続される箱状の部材であり、散水板４の背面側に内蔵されている。第１散水室形成部材１２と水路切換装置１０の間にはＯリングが配置され、これらの部材の間の水密性が確保されている。第１散水室形成部材１２の内部には第１水路１２ａ、第２水路１２ｂ、及び第３水路１２ｃ（図５にも図示）が形成されている。水路切換装置１０から流出した湯水は、これらの第１水路１２ａ、第２水路１２ｂ、及び第３水路１２ｃを通って、ジャイロビート吐水用の散水孔４ａ、スプレー吐水用の散水孔４ｂ、滝状吐水用の散水孔４ｃに夫々導かれるようになっている。また、第１散水室形成部材１２の散水板４側は開放されており、この開放部を覆うように第２散水室形成部材１４が取り付けられている。
【００３９】
第２散水室形成部材１４は、第１散水室形成部材１２の開放部を覆うように配置される概ね円板状の部材である。第２散水室形成部材１４の中央には、第１水路１２ａと連通するように凹部１４ａが設けられ、この凹部１４ａの中にジャイロビート吐水用の回転ノズル２０が回転可能に配置される。また、第２散水室形成部材１４には、第２水路１２ｂと連通するように貫通穴１４ｂが設けられており、この貫通穴１４ｂを通った湯水がスプレー吐水用の散水孔４ｂから吐出される。さらに、第２散水室形成部材１４には、第３水路１２ｃと連通するように貫通穴１４ｃが設けられており、この貫通穴１４ｃを通った湯水が滝状吐水用の散水孔４ｃから吐出される。
【００４０】
第３散水室形成部材１６は、散水板４の背面側に重なるように配置される概ね円板状の部材である。この第３散水室形成部材１６の背面側と、第２散水室形成部材１４の正面側との間の空間が、スプレー吐水用の散水室を形成する。
【００４１】
散水ノズル形成部材１８は、ゴム製の概ね円板状の部材であり、第２散水室形成部材１４と第３散水室形成部材１６の間に配置される。散水ノズル形成部材１８には多数のスプレー吐水用の散水ノズル１８ａが設けられている。これらの散水ノズル１８ａは、散水板４に設けられた多数の散水孔４ｂ、及びこれらの散水孔４ｂと夫々整合するように第３散水室形成部材１６に設けられた多数の孔を通ってハンドシャワーヘッド１の外部に突出している。また、散水ノズル形成部材１８には、ハンドシャワーヘッド１の先端側に位置するように、滝状吐水用の散水ノズル１８ｂが設けられている。この散水ノズル１８ｂは、散水板４に設けられた円弧状の散水孔４ｃ、及びこの散水孔４ｃと整合するように第３散水室形成部材１６に設けられた円弧状の孔を通ってハンドシャワーヘッド１の外部に突出している。なお、散水ノズル形成部材１８はゴム製であるため、第２散水室形成部材１４の縁部１４ｄに押し付けられることにより、それらの間の水密性が確保される。
【００４２】
回転ノズル２０は、概ね円柱状の部材であり、その軸線方向に３本のジャイロビート吐水用の散水ノズル孔２０ａが設けられている。また、回転ノズル支持部材２２は、回転ノズル２０を回転可能に支持する概ね円筒状の部材である。回転ノズル支持部材２２は、その内部に回転ノズル２０を回転可能に受け入れ、支持すると共に、第２散水室形成部材１４に設けられた凹部１４ａに嵌め込まれている。第１散水室形成部材１２の第１水路１２ａに湯水が流入すると、その水勢により、回転ノズル２０が回転ノズル支持部材２２の中ですりこぎ運動（歳差運動）され、これにより螺旋を描くように吐水が行われる。
【００４３】
次に、図３乃至図８を新たに参照して、本発明の実施形態によるハンドシャワーヘッド１に内蔵されている水路切換装置１０を説明する。
図３は、ハンドシャワーヘッドに内蔵されている水路切換装置の部分を拡大して示す断面図である。図４は、ハンドシャワーヘッドに内蔵されている水路切換装置の分解斜視図である。図５は、ハンドシャワーヘッド内において切り換えられる水路を示す断面図である。図６は、水路切換装置に内蔵されている弁体の斜視図である。図７は、水路切換装置に備えられている円環状ロック部材の斜視図である。図８は、水路切換装置に備えられているカム構成部材の斜視図である。図９は水路切換装置に備えられている操作部カバー部材の斜視図であり、図１０は操作部カバー部材の斜視断面図である。
【００４４】
図３及び図４に示すように、水路切換装置１０は、水路切換装置本体２４と、この水路切換装置本体２４の内部に摺動可能に配置された第１弁体２６ａ、第２弁体２６ｂ、及び第３弁体２６ｃと、これらの弁体により開閉される３つの弁座が形成された弁座形成部材２８と、を有する。
【００４５】
さらに、水路切換装置１０は、４つの円筒支持部材３２と、回転ロック部材である円環状ロック部材３４と、第１カム構成部材３６ａ、第２カム構成部材３６ｂ、第３カム構成部材３６ｃと、リセットカム構成部材３８と、３本の操作棹４０ａ、４０ｂ、４０ｃと、操作部カバー部材４２と、ピボット部材４４と、弾性カバー部材４６と、を有する。
【００４６】
図３乃至図５に示すように、水路切換装置本体２４は、通水路形成部材８を通過した湯水が流入するように構成された概ね筒型の部材である。水路切換装置本体２４の内部には、第１弁体２６ａ、第２弁体２６ｂ、及び第３弁体２６ｃの３つの弁体が、ハンドシャワーヘッド１の幅方向に平行に並べて配置されている。また、これら３つの弁体は、ハンドシャワーヘッド１の長手方向に摺動可能に支持され、開弁位置と閉弁位置の間で移動可能になっている。通水路形成部材８から流入した湯水は、第１、第２、第３弁体の何れかが開弁されると、開放された弁座を通って水路切換装置１０から流出される。
【００４７】
図６に示すように、第１弁体２６ａは、着座部２７ａと、この着座部２７ａの背面側に形成された支持フレーム部２７ｂと、この支持フレーム部２７ｂの両側面に設けられた摺動突起２７ｃと、支持フレーム部２７ｂの背面側に形成されたバネ取付部２７ｄ、を有する。
【００４８】
着座部２７ａは、第１弁体２６ａの先端に設けられた円板状の部分であり、この着座部２７ａの先端部が弁座形成部材２８に着座することにより、弁座形成部材２８に設けられた弁孔が閉鎖される。
【００４９】
支持フレーム部２７ｂは、着座部２７ａの背面側に形成された直方体状のフレームである。着座部２７ａは、支持フレーム部２７ｂにより、弁座形成部材２８の適正な位置に着座するように支持される。
【００５０】
摺動突起２７ｃは、支持フレーム部２７ｂの両側面に夫々設けられた細長い突起である。摺動突起２７ｃは、水路切換装置本体２４の内部に設けられた細長いガイド部２４ａ（図５）に沿って摺動される。これにより、第１弁体２６ａは、水路切換装置本体２４内で直線移動される。
【００５１】
バネ取付部２７ｄは、支持フレーム部２７ｂの背面側に形成された円形断面の突起であり、このバネ取付部２７ｄがコイルバネ５４（図５）の内側に嵌め込まれることにより、第１弁体２６ａにコイルバネ５４が取り付けられる。第１弁体２６ａはコイルバネ５４により、閉弁位置の方に付勢される。
【００５２】
さらに、支持フレーム部２７ｂの内側には、移動方向変換手段である傾斜平面２７ｅが設けられている。傾斜平面２７ｅは、支持フレーム部２７ｂの内側に一体に形成された傾斜した平面部分である。後述するように、この傾斜平面２７ｅが操作棹４０ａの先端で押圧されることにより、第１弁体２６ａは開弁方向に駆動される。
【００５３】
また、第２弁体２６ｂ及び第３弁体２６ｃも、図４、図５に示すように、第１弁体２６ａと概ね同様の構成を有しているが、第２、第３弁体では、弁座を開閉する着座部と、これを支持する支持フレーム部がオフセットするように構成されており、全体としてＬ字型に形成されている。また、第２、第３弁体においては、コイルバネ５４が着座部の背面に取り付けられ、これらのコイルバネ５４により、第２、第３弁体は、閉弁位置の方に夫々付勢される。さらに、第２弁体２６ｂ及び第３弁体２６ｃの支持フレーム部にも、第１弁体２６ａと同様に、傾斜平面が設けられており、これらの傾斜平面が、操作棹４０ｂ、４０ｃによって夫々押圧されることにより、第２、第３弁体が開弁方向に駆動される。
【００５４】
弁座形成部材２８は、図４に示すように、概ね長円形の板状の部材であり、第１弁体２６ａ、第２弁体２６ｂ、第３弁体２６ｃが夫々着座する３つの弁孔２８ａ、２８ｂ、２８ｃが、一直線上に等間隔に形成されている。
【００５５】
円筒支持部材３２は、図３、図４に示すように、水路切換装置本体２４の図３における上側（ハンドシャワーヘッド１の散水板の側）に配置される円筒状の部材である。また、４つの円筒支持部材３２は、水路切換装置本体２４の上側の円周上に等間隔に配置されている。各円筒支持部材３２を夫々取り囲むように、カム部付勢手段である３つのコイルバネ４８ａ、及びリセット用カム部付勢手段であるコイルバネ４８ｂが夫々配置される。さらに、各コイルバネ４８ａの上には、各円筒支持部材３２を覆うように、第１、第２、第３カム構成部材３６ａ、３６ｂ、３６ｃが夫々配置されている。このため、各カム構成部材は、コイルバネ４８ａにより、円筒支持部材３２に沿って初期位置（図３における上方）に向けて付勢される。同様に、コイルバネ４８ｂの上には、円筒支持部材３２を覆うように、リセットカム構成部材３８が配置されている。このため、リセットカム構成部材３８は、コイルバネ４８ｂにより、円筒支持部材３２に沿って初期位置（図３における上方）に向けて付勢される。
【００５６】
円環状ロック部材３４は、図４及び図７に示すように、円環状の部材であり、４つの円筒支持部材３２の周囲を取り囲むように配置されている。また、円環状ロック部材３４は、円筒支持部材３２の周囲で、円環状ロック部材３４の中心軸線を中心として、ロック位置とロック解除位置との間で回動可能に配置されている。さらに、円環状ロック部材３４は、ロック部材付勢部材である２つの捩りバネ５０（図４）により、ロック位置に向けて付勢されている。各捩りバネ５０は、水路切換装置本体２４に形成された軸部２４ｃ（図４）に夫々嵌め込まれている。各捩りバネ５０は、一方の端部が円環状ロック部材３４と係合し、他方の端部が操作部カバー部材４２（図４）と係合することにより、円環状ロック部材３４がその中心軸線を中心にロック位置に向けて回動されるように、円環状ロック部材３４を付勢している。なお、２つの捩りバネ５０は、円環状ロック部材３４の中心軸線を中心とする円周上に、等間隔に配置されている。
【００５７】
さらに、円環状ロック部材３４は、円環状の円環部３４ａと、この円環部３４ａから延びる３つの突出部３４ｂと、これらの突出部３４ｂの先端に夫々形成された係合爪３４ｃと、円環部３４ａから延びるリセット用突出部３４ｄと、を有する。
【００５８】
図７に示すように、３つの突出部３４ｂは、円環部３４ａの中心軸線と略平行な方向に、円環部３４ａから延びる突起である。これらの突出部３４ｂの先端には、円環部３４ａの円周方向に延びる係合爪３４ｃが夫々形成されている。これにより、各突出部３４ｂ及び係合爪３４ｃは、夫々逆Ｌ字形の係合部を構成する。また、各突出部３４ｂは、円環部３４ａ上に、中心角９０度ずつ間隔をあけて設けられている。
【００５９】
さらに、各係合爪３４ｃの上面側（円環部３４ａの反対側）には、円環部３４ａに対して傾斜した斜面であるカム面３４ｅが夫々設けられている。これら押圧部であるカム面３４ｅが、第１、第２、第３カム構成部材３６ａ、３６ｂ、３６ｃにより上側（円環部３４ａの反対側）から押圧されることにより、円環状ロック部材３４は、捩りバネ５０の付勢力に抗してロック位置からロック解除位置に駆動される。一方、初期位置から押し込まれた何れかのカム構成部材は、円環状ロック部材３４が捩りバネ５０の付勢力によりロック位置に復帰されると、係合爪３４ｃの下側（円環部３４ａの側）と係合され、押し込み位置に保持される。なお、本実施形態においては、各係合爪３４ｃの上面側に押圧部であるカム面３４ｅが形成されているので、押圧部と係合部は一体に構成されている。
【００６０】
リセット用突出部３４ｄは、円環部３４ａの中心軸線と略平行な方向に、円環部３４ａから延びる突起である。リセット用突出部３４ｄは、突出部３４ｂよりも幅広に形成されており、その上面側（円環部３４ａの反対側）には、円環部３４ａに対して傾斜したカム面３４ｆが設けられている。また、リセット用突出部３４ｄは、円環部３４ａ上に、２つの突出部３４ｂに対して中心角９０度ずつ間隔をあけて設けられている。従って、３つの突出部３４ｂ及びリセット用突出部３４ｄは、互いに中心角９０度ずつ間隔をあけて設けられている。
【００６１】
リセット用突出部３４ｄのカム面３４ｆが、リセットカム構成部材３８により上側（円環部３４ａの反対側）から押圧されることにより、円環状ロック部材３４は、捩りバネ５０の付勢力に抗してロック位置からロック解除位置に駆動される。しかしながら、リセット用突出部３４ｄには係合爪３４ｃが設けられていないため、リセットカム構成部材３８に作用する押圧力が除去されると、リセットカム構成部材３８は保持されることなく、初期位置に復帰される。
【００６２】
第１カム構成部材３６ａは、図３、図４、図８に示すように、下側（水路切換装置本体２４の側）が開放された円形のキャップ状の部材であり、その開放部に円筒支持部材３２を受け入れるように構成されている（図３）。これにより、第１カム構成部材３６ａは、円筒支持部材３２に沿って移動可能に支持される。また、第１カム構成部材３６ａには、瓢箪形の取付穴３７ａが構成されており、操作棹４０ａは、この取付穴３７ａに嵌め込まれることにより第１カム構成部材３６ａに取り付けられる（図３）。
【００６３】
また、第１カム構成部材３６ａの側面には、周囲を取り囲むように鍔部３７ｂが形成されており、この鍔部３７ｂとコイルバネ４８ａが係合することにより、第１カム構成部材３６ａは上方（水路切換装置本体２４とは反対の方向）に付勢される。
【００６４】
さらに、第１カム構成部材３６ａ側面の一箇所には、半径方向外方に突出するように、操作カム部３７ｃが設けられている。この操作カム部３７ｃの下側面（水路切換装置本体２４側の面）は斜めに切り欠かれ、傾斜したカム面３７ｄが形成されている。このカム面３７ｄは、円環状ロック部材３４のカム面３４ｅと合致する角度に形成されている。第１カム構成部材３６ａが初期位置から押し込まれると、第１カム構成部材３６ａのカム面３７ｄと、円環状ロック部材３４のカム面３４ｅが摺動し、円環状ロック部材３４は、ロック位置からロック解除位置に向けて回動される。
【００６５】
また、図４に示すように、第２、第３カム構成部材３６ｂ、３６ｃは、第１カム構成部材３６ａと全く同じ形状に構成されており、第２カム構成部材３６ｂには操作棹４０ｂが取り付けられ、第３カム構成部材３６ｃには操作棹４０ｃが取り付けられている。さらに、第２、第３カム構成部材３６ｂ、３６ｃも、第１カム構成部材３６ａと同様に、コイルバネ４８ａによって上方（水路切換装置本体２４とは反対の方向）に付勢される。また、第２、第３カム構成部材３６ｂ、３６ｃに設けられたカム面も、円環状ロック部材３４の対応するカム面３４ｅと摺動し、円環状ロック部材３４をロック位置からロック解除位置に向けて回動させる。
【００６６】
さらに、図４に示すように、リセットカム構成部材３８も、第１カム構成部材３６ａと全く同じ形状に構成されている。なお、リセットカム構成部材３８に設けられた操作カム部（図８の３７ｃに相当）は、リセット用カム部として機能する。また、リセットカム構成部材３８には、操作棹４０ｄが取り付けられ、この操作棹４０ｄは、他の操作棹よりも短く構成されている。また、リセットカム構成部材３８も、第１カム構成部材３６ａと同様に、コイルバネ４８ｂによって上方（水路切換装置本体２４とは反対の方向）に付勢される。さらに、リセットカム構成部材３８に設けられたカム面は、円環状ロック部材３４のリセット用突出部３４ｄに設けられたカム面３４ｆと合致する角度に形成されている。リセットカム構成部材３８が初期位置から押し込まれると、リセットカム構成部材３８のカム面と、リセット用突出部３４ｄのカム面３４ｆが摺動し、円環状ロック部材３４は、ロック位置からロック解除位置に向けて回動される。
【００６７】
第１、第２、第３カム構成部材３６ａ、３６ｂ、３６ｃ、及びリセットカム構成部材３８は、４つの円筒支持部材３２を夫々受け入れるように配置されている。また、各円筒支持部材３２は、円環状ロック部材３４と同心円を為す円周上に配置されている。従って、第１、第２、第３カム構成部材３６ａ、３６ｂ、３６ｃ、及びリセットカム構成部材３８は、円環状ロック部材３４の円周に沿って配置されている。
【００６８】
操作部材である操作棹４０ａ、４０ｂ、４０ｃは、図４に示すように、同一形状に構成された円形断面のシャフトであり、その先端部は半球面状に形成されている。また、操作棹４０ａ、４０ｂ、４０ｃは、第１、第２、第３カム構成部材３６ａ、３６ｂ、３６ｃに夫々取り付けられる。
【００６９】
図３に示すように、第１カム構成部材３６ａに取り付けられた操作棹４０ａは、円筒支持部材３２の中を通って、下側（水路切換装置本体２４の方向）に突出する。突出した操作棹４０ａは、水路切換装置本体２４に設けられた円形穴２４ｂ（図４）を通って水路切換装置本体２４の内部に挿入され、挿入された操作棹４０ａの先端は、第１弁体２６ａに当接する。また、各円形穴２４ｂにはドーナツ状のパッキン５２が配置され、操作棹４０ａと水路切換装置本体２４の間の水密性が確保されている。
【００７０】
この構成により、第１カム構成部材３６ａが円筒支持部材３２に沿って下方（水路切換装置本体２４の方向）に移動されると、操作棹４０ａも共に下方に移動され、操作棹４０ａの先端が第１弁体２６ａの傾斜平面２７ｅを押圧する。これにより、第１弁体２６ａは開弁方向に駆動される。
【００７１】
同様の構成により、第２カム構成部材３６ｂに取り付けられた操作棹４０ｂは、第２カム構成部材３６ｂが押し込まれると第２弁体２６ｂに設けられた傾斜平面を押圧して、第２弁体２６ｂを開弁方向に駆動する。第３カム構成部材３６ｃに取り付けられた操作棹４０ｃは、第３カム構成部材３６ｃが押し込まれると第３弁体２６ｃに設けられた傾斜平面を押圧して、第３弁体２６ｃを開弁方向に駆動する。
【００７２】
次に、図９及び図１０を新たに参照して、操作部カバー部材４２の構成を説明する。操作部カバー部材４２は、図４に示すように、下側（水路切換装置本体２４の側）が開放された円形のカップ状の部材である。操作部カバー部材４２は、水路切換装置本体２４に取り付けられ、これらの内側に、円環状ロック部材３４、第１、第２、第３カム構成部材３６ａ、３６ｂ、３６ｃ、コイルバネ４８ａ、コイルバネ４８ｂ、及び捩りバネ５０が収容される。
【００７３】
図９に示すように、操作部カバー部材４２の上端面（水路切換装置本体２４の反対側の面）には、４つの開口部４２ａが形成されている。第１、第２、第３カム構成部材３６ａ、３６ｂ、３６ｃ及びリセットカム構成部材３８の上部は、これら４つの開口部４２ａを通して操作部カバー部材４２の上端面から夫々突出する。また、各カム構成部材及びリセットカム構成部材の各鍔部３７ｂが、各開口部４２ａの縁と係合することにより、各カム構成部材及びリセットカム構成部材を、操作部カバー部材４２の内側に保持している。
【００７４】
ここで、円環状ロック部材３４には、その外周部に２つの鍔部３４ｇ（図７）が設けられている。一方、図１０に示すように、操作部カバー部材４２の内側下部には、段部４２ｂが形成されており、各鍔部３４ｇが段部４２ｂの下に受け入れられることにより、操作部カバー部材４２内における円環状ロック部材３４の回動が案内される。さらに、操作部カバー部材４２内側の天井面４２ｃは、円環状ロック部材３４の突出部３４ｂ及びリセット用突出部３４ｄの上端面に対して摺動するように形成されており、この天井面４２ｃによっても円環状ロック部材３４の回動が案内される。従って、操作部カバー部材４２は、円環状ロック部材３４の回動を案内する回転ガイド部材として機能する。
【００７５】
また、第１、第２、第３カム構成部材及びリセットカム構成部材３８の各操作カム部３７ｃは、初期位置と押込位置との間で円環状ロック部材３４の中心軸線と平行な方向に移動される際、操作部カバー部材４２によって案内される。即ち、各操作カム部３７ｃの先端面３７ｅ（図８）は、操作部カバー部材４２の各内壁面４２ｄ（図９）に対して摺動し、案内される。また、各操作カム部３７ｃのカム面３７ｄの反対側の垂直面３７ｆは、操作部カバー部材４２の半径方向に向けられた各垂直面４２ｅ（図９）に対して摺動し、案内される。従って、操作部カバー部材４２は、円環状ロック部材３４の中心軸線に平行な方向の、各操作カム部３７ｃの移動を案内するカムガイド部材として機能する。
【００７６】
傾動操作部材であるピボット部材４４は、図４に示すように、概ね円板状の部材である。ピボット部材４４の中心には、下方（水路切換装置本体２４の方向）に向けて突出するピボット突起４４ａ（図３）が設けられており、このピボット突起４４ａの先端は球面状に形成されている。ピボット突起４４ａの先端は、ピボット受部材４３のピボット凹部４３ａに受け入れられている。ピボット突起４４ａの先端とピボット凹部４３ａの接触点はピボット点として機能し、このピボット点は、円環状ロック部材３４の中心軸線上に位置する。また、ピボット受部材４３は操作部カバー部材４２の上端面の中心に設けられた凹部に受け入れられている。ピボット部材４４が、ピボット点を中心に何れかの方向に傾動されると、ピボット部材４４の下側の面（水路切換装置本体２４側の面）が、操作棹４０ａ、４０ｂ、４０ｃの何れかの上端を押圧し、操作棹と共にカム構成部材を押込位置に移動させる。また、ピボット部材４４がリセットカム構成部材３８の方に傾動されると、ピボット部材４４がリセットカム構成部材３８を押圧し、リセットカム構成部材３８は押込位置に移動される。
【００７７】
一方、操作部カバー部材４２上面の４つの開口部４２ａの間には、４つの隆起部４２ｆが夫々設けられている（図９）。これら各隆起部４２ｆの稜線は、操作部カバー部材４２の半径方向に向けられており、各隆起部４２ｆは、隣り合う開口部４２ａの中間の位置で最も高くなっている。従って、ピボット部材４４が、カム構成部材とカム構成部材の中間の方向、又は、カム構成部材とリセットカム構成部材の中間の方向に傾動された場合には、ピボット部材４４と隆起部４２ｆの稜線が干渉し、その方向の傾動が阻止される。このため、ピボット部材４４は、常に何れかのカム構成部材、又はリセットカム構成部材の方向に傾動される。従って、操作部カバー部材４２は、ピボット部材４４の傾動を所定の４方向に規制する傾動規制部材として機能する。
【００７８】
弾性カバー部材４６は、図４に示すように、概ね、円形の椀状の弾性部材であり、中央に円形の開口部４６ａが形成されている。この開口部４６ａを介して、押し釦６がピボット部材４４に取り付けられている（図３）。即ち、弾性カバー部材４６は、押し釦６とピボット部材４４の間に挟まれて固定される。また、弾性カバー部材４６は、操作部カバー部材４２の上端部（水路切換装置本体２４の反対側の部分）を覆うように配置される。弾性カバー部材４６は可撓性のある弾性体で構成されているため、押し釦６が押圧操作されたとき弾性変形され、ピボット点を中心とする押し釦６及びピボット部材４４の傾動が許容される。また、弾性カバー部材４６は、押し釦６に作用する操作力が除去されると、その弾性によりもとの形状に復帰され、押し釦６及びピボット部材４４を傾動していない位置に復帰させる。
【００７９】
次に、図１１及び図１２を新たに参照して、本発明の実施形態によるハンドシャワーヘッド１の作用を説明する。図１１及び図１２は、ハンドシャワーヘッド１に内蔵されている水路切換装置１０の作用を説明するための図である。
【００８０】
まず、図１、図２及び図５を参照して、ハンドシャワーヘッド１の作用の概略を説明する。
ハンドシャワーヘッド１の使用者が押し釦６を押圧し、押し釦６を散水板４の側（第１カム構成部材３６ａ及び操作棹４０ａが配置されている側）に傾動させると、第１弁体２６ａが開弁状態となり、吐水が開始される。第１弁体２６ａが開弁状態にされると、図２、図５に矢印で示すように、通水路形成部材８から水路切換装置１０に流入した湯水は、第１弁体２６ａの周囲を通って弁座形成部材２８の弁孔２８ａに流入する（ただし、図２、図５には閉弁状態が示されている）。弁孔２８ａを通過した湯水は、第１散水室形成部材１２の第１水路１２ａに流入し、第１水路１２ａと連通するように形成された第２散水室形成部材１４の貫通穴１４ｂ（図２）を通って、第２散水室形成部材１４と散水ノズル形成部材１８の間の空間に流入する。この空間に流入した湯水は、散水ノズル形成部材１８に設けられた多数の散水ノズル１８ａからスプレー吐水される。
【００８１】
次いで、使用者が押し釦６を押圧し、押し釦６を側方（第２カム構成部材３６ｂ及び操作棹４０ｂが配置されている側）に傾動させると、開弁されていた第１弁体２６ａは閉弁位置に移動される一方、第２弁体２６ｂが開弁位置に移動される。なお、第１弁体２６ａを閉弁位置に移動させ、第２弁体２６ｂを開弁位置に移動させる水路切換装置１０の作用は後述する。第２弁体２６ｂが開弁位置に移動されると、水路切換装置１０に流入した湯水は、第２弁体２６ｂの周囲を通って弁座形成部材２８の弁孔２８ｂに流入する。弁孔２８ｂを通過した湯水は、第１散水室形成部材１２の第２水路１２ｂに流入する。第２水路１２ｂに流入した湯水は、第２水路１２ｂと連通するように形成された第２散水室形成部材１４の貫通穴１４ａ（図２）を通って、回転ノズル２０の散水ノズル孔２０ａから吐出される。回転ノズル２０は第１水路１２ａに流入した湯水の水勢により、すりこぎ状に回転運動され、散水ノズル孔２０ａから吐出される湯水は、螺旋を描くジャイロビート吐水となる。
【００８２】
さらに、使用者が押し釦６を押圧し、押し釦６を側方（第３カム構成部材３６ｃ及び操作棹４０ｃが配置されている側）に傾動させると、開弁されていた第２弁体２６ｂは閉弁位置に移動される一方、第３弁体２６ｃが開弁位置に移動される。第３弁体２６ｃが開弁位置に移動されると、水路切換装置１０に流入した湯水は、第３弁体２６ｃの周囲を通って弁座形成部材２８の弁孔２８ｃに流入する。弁孔２８ｃを通過した湯水は、第１散水室形成部材１２の第３水路１２ｃに流入する。第３水路１２ｃに流入した湯水は、第３水路１２ｃと連通するように形成された第２散水室形成部材１４の貫通穴１４ｃ（図２）から流出する。貫通穴１４ｃから流出した湯水は、貫通穴１４ｃと向かい合うように散水ノズル形成部材１８に設けられた円弧状の散水ノズル１８ｂから滝状吐水される。
【００８３】
次に、使用者が押し釦６を押圧し、押し釦６を散水板４とは反対の側（リセットカム構成部材３８が配置されている側）に傾動させると、開弁されていた第３弁体２６ｃは閉弁位置に移動され、止水状態となる。
【００８４】
次に、図１１及び図１２を参照して、水路切換装置１０の作用を説明する。図１１は、水路切換装置１０の作用を示す説明図であり、カム構成部材の操作カム部、カム構成部材に取り付けられた操作棹、及び円環状ロック部材３４の一部を示し、これらの位置関係を表している。図１１上段は、第１カム構成部材３６ａが初期位置から押込位置に押し込まれ、保持される過程を順に示しており、下段は、上段の作用と同時に、押込位置に保持されていた第２カム構成部材３６ｂが、初期位置に復帰される過程を順に示している。
【００８５】
まず、図１１（ｉ）の状態においては、第１カム構成部材３６ａ及びこれに取り付けられた操作棹４０ａは初期位置にあり、操作棹４０ａに対応して配置されている第１弁体２６ａは、閉弁位置（図３における第１弁体２６ａの位置）にある。一方、図１１（ｉ）の状態において、第２カム構成部材３６ｂ及びこれに取り付けられた操作棹４０ｂは押込位置にあり、操作棹４０ｂに対応して配置されている第２弁体２６ｂは、開弁位置（操作棹４０ｂが図３における下方に押し込まれ、これに当接している第２弁体２６ｂが左方に移動されている位置）にある。
【００８６】
なお、第２カム構成部材３６ｂは、コイルバネ４８ａにより初期位置に向けて付勢されている。しかしながら、図１１（ｉ）下段に示すように、第２カム構成部材３６ｂの操作カム部が、ロック位置にある円環状ロック部材３４の対応する係合爪３４ｃと係合されているため、コイルバネ４８ａの付勢力に抗して第２カム構成部材３６ｂ及び操作棹４０ｂは、押込位置に保持される。
【００８７】
次に、使用者が押し釦６を操作して、第１カム構成部材３６ａを押し込むと、図１１（ｉｉ）上段に示すように、第１カム構成部材３６ａの操作カム部３７ｃによって、これと当接している円環状ロック部材３４のカム面３４ｅが押される。これにより、円環状ロック部材３４は、捩りバネ５０の付勢力に抗して、図４における反時計回り（図１１における右方）に回動される。
【００８８】
第１カム構成部材３６ａが図１１（ｉｉ）上段に示す位置まで押し込まれると、円環状ロック部材３４はロック解除位置に移動される。また、同時に、図１１（ｉｉ）下段に示すように、第２カム構成部材３６ｂと係合していた係合爪３４ｃも図１１における右方に移動される。これにより、第２カム構成部材３６ｂと係合爪３４ｃの係合が解除され、第２カム構成部材３６ｂはコイルバネ４８ａの付勢力により、初期位置に復帰される。第２カム構成部材３６ｂ及び操作棹４０ｂが初期位置に復帰されると、操作棹４０ｂに当接している第２弁体２６ｂは、第２弁体２６ｂを付勢しているコイルバネ５４の付勢力により、閉弁位置に移動される。
【００８９】
さらに、図１１（ｉｉｉ）上段に示すように、第１カム構成部材３６ａが係合爪３４ｃと係合しない位置まで押し込まれると、円環状ロック部材３４は、捩りバネ５０の付勢力により、図４における時計回り（図１１における左方）に回動され、ロック位置に移動される。円環状ロック部材３４がロック位置に移動されると、図１１（ｉｉｉ）上段に示すように、第１カム構成部材３６ａが係合爪３４ｃの下側に入り込み、第１カム構成部材３６ａと係合爪３４ｃが係合する。これにより、使用者による操作力が除去された後も、第１カム構成部材３６ａは押込位置に保持される。また、第１カム構成部材３６ａ及び操作棹４０ａが押込位置に移動される際、操作棹４０ａの先端が第１弁体２６ａの傾斜平面２７ｅを押圧し、第１弁体２６ａは、これに取り付けられたコイルバネ５４の付勢力に抗して、図３における左方に移動される。第１カム構成部材３６ａが押込位置に保持されると、操作棹４０ａに当接している第１弁体２６ａは、開弁位置に保持され、吐水状態が維持される。
【００９０】
以上のように、図１１（ｉ）の状態では、第２カム構成部材３６ｂが押込位置に保持され、第２弁体２６ｂが開弁され、ジャイロビート吐水が行われている。この状態において、第１カム構成部材３６ａが初期位置から押込位置に押し込まれると、図１１（ｉｉ）に示すように、第２カム構成部材３６ｂが押込位置から初期位置に移動されると共に、第２弁体２６ｂが閉弁される。これと同時に、第１弁体２６ａが開弁されて、スプレー吐水が開始される。また、図１１（ｉｉｉ）に示すように、押込位置に押し込まれた第１カム構成部材３６ａは押込位置にロックされ、押圧力が除去された後も吐水状態が維持される。
【００９１】
図１１に示す例では、ジャイロビート吐水が行われている状態から第１カム構成部材３６ａが押圧された場合を説明したが、本実施形態の水路切換装置１０は、何れかの吐水が行われている状態において、別の吐水用のカム構成部材が押し込まれると、従前の吐水が停止されると共に、押圧したカム構成部材に対応する形態の吐水が開始されるように作用する。
【００９２】
次に、図１２を参照して、リセットカム構成部材３８が押圧された場合における水路切換装置１０の作用を説明する。
図１２は、水路切換装置１０の作用を示す説明図であり、リセットカム構成部材３８の操作カム部、カム構成部材の操作カム部、カム構成部材に取り付けられた操作棹、及び円環状ロック部材３４の一部の位置関係を示している。図１２上段は、リセットカム構成部材３８が初期位置から押込位置に押し込まれ、再び初期位置に復帰される過程を順に示しており、下段は、上段の作用と同時に、押込位置に保持されていた第２カム構成部材３６ｂが、初期位置に復帰される過程を順に示している。
【００９３】
まず、図１２（ｉ）の状態においては、リセットカム構成部材３８は初期位置にある。一方、図１２（ｉ）の状態において、第２カム構成部材３６ｂ及びこれに取り付けられた操作棹４０ｂは押込位置に保持されており、第２弁体２６ｂは開弁位置にある。
【００９４】
次に、使用者が押し釦６を操作して、リセットカム構成部材３８を押し込むと、図１２（ｉｉ）上段に示すように、リセットカム構成部材３８のリセット用カム部と当接している円環状ロック部材３４のカム面３４ｆが押される。これにより、円環状ロック部材３４は、捩りバネ５０の付勢力に抗して、図４における反時計回り（図１２における右方）に回動される。
【００９５】
リセットカム構成部材３８が図１２（ｉｉ）上段に示す位置まで押し込まれると、円環状ロック部材３４はロック解除位置に移動される。また、同時に、図１２（ｉｉ）下段に示すように、第２カム構成部材３６ｂと係合していた係合爪３４ｃも図１２における右方に移動される。これにより、第２カム構成部材３６ｂと係合爪３４ｃの係合が解除され、第２カム構成部材３６ｂは初期位置に復帰され、第２弁体２６ｂは閉弁位置に移動される。
【００９６】
さらに、図１２（ｉｉ）上段に示すように、リセットカム構成部材３８と当接しているリセット用突出部３４ｄには係合爪が設けられていないため、リセットカム構成部材３８が押込位置まで押し込まれた状態においても、円環状ロック部材３４はロック解除位置に維持される。
【００９７】
次に、使用者による操作力が除去されると、図１２（ｉｉｉ）上段に示すように、リセットカム構成部材３８は、コイルバネ４８ｂの付勢力により初期位置に復帰される。リセットカム構成部材３８が初期位置に復帰されると、円環状ロック部材３４は、捩りバネ５０の付勢力により、図４における時計回り（図１２における左方）に回動され、ロック位置に移動される。
【００９８】
以上のように、図１２（ｉ）の状態では、第２カム構成部材３６ｂが押込位置に保持され、第２弁体２６ｂが開弁され、ジャイロビート吐水が行われている。この状態において、リセットカム構成部材３８が初期位置から押込位置に押し込まれると、図１２（ｉｉ）に示すように、第２カム構成部材３６ｂが押込位置から初期位置に移動されると共に、第２弁体２６ｂが閉弁され、止水状態となる。また、リセットカム構成部材３８は、図１２（ｉｉｉ）に示すように、使用者による操作力が作用しなくなると、初期位置に復帰する。
【００９９】
図１２に示す例では、ジャイロビート吐水が行われている状態からリセットカム構成部材３８が押圧された場合を説明したが、本実施形態の水路切換装置１０は、何れかの吐水が行われている状態において、リセットカム構成部材３８が押し込まれると、従前の吐水が停止され、全てのカム構成部材及びリセットカム構成部材３８が初期位置に復帰するように作用する。
【０１００】
本発明の実施形態の水路切換装置１０によれば、ロック位置とロック解除位置との間で回動可能に配置されたロック部材３４が円環状に構成されているので、水路切換装置１０を小さなスペースに組み込むことができる。
【０１０１】
また、本実施形態の水路切換装置１０によれば、第１、第２、第３カム構成部材３６ａ、３６ｂ、３６ｃの各操作カム部が円環状ロック部材３４の円周に沿って夫々配置されているので、使用者が吐水形態の切換操作を行う操作部を押し釦６に集約することが可能になり、ハンドシャワーヘッド１の操作性を向上させることができる。
【０１０２】
さらに、本実施形態の水路切換装置１０によれば、リセットカム構成部材３８及び円環状ロック部材３４のリセット用突出部３４ｄを備えているので、第１、第２、第３カム構成部材３６ａ、３６ｂ、３６ｃの何れが押込位置に保持されている状態にあっても、リセットカム構成部材３８の一回の押圧操作により、全てのカム構成部材の操作カム部を初期位置に復帰させ、止水状態にすることができる。
【０１０３】
また、本実施形態の水路切換装置１０によれば、ピボット部材４４をピボット点を中心に傾動させることにより、各カム構成部材を押込位置に移動させることができるので、ピボット部材４４に取り付けられた１つの押し釦６だけで全ての切り換え操作、止水操作が可能になり、ハンドシャワーヘッド１の操作性を向上させることができる。
【０１０４】
さらに、本実施形態の水路切換装置１０によれば、円環状ロック部材３４が環状に構成されているので、円環状ロック部材３４は、これを回転駆動するための外力により変形されにくく、円環状ロック部材３４を確実に作動させることができる。
【０１０５】
また、本実施形態の水路切換装置１０によれば、操作カム部３７ｃを初期位置に向けて付勢する部材であるコイルバネ４８ａによりカム部付勢手段が構成されているので、常に安定した付勢力を得ることができ、操作カム部３７ｃを確実に初期位置に復帰させることができる。
【０１０６】
さらに、本実施形態の水路切換装置１０によれば、リセット用カム部を初期位置に向けて付勢する部材であるコイルバネ４８ｂによりリセット用カム部付勢手段が構成されているので、常に安定した付勢力を得ることができ、リセット用カム部を確実に初期位置に復帰させることができる。
【０１０７】
また、本実施形態の水路切換装置１０によれば、係合爪３４ｃとカム面３４ｅが一体に構成されているので、円環状ロック部材３４を簡単な構造にすることができる。
【０１０８】
さらに、本実施形態の水路切換装置１０によれば、カム面３４ｅが斜面により構成されているので、簡単な構造で、操作カム部３７ｃの直線運動を円環状ロック部材３４の回転運動に変換することができる。
【０１０９】
また、本実施形態の水路切換装置１０によれば、突出部３４ｂが中心軸線と平行な方向に延びるように形成されているので、突出部３４ｂを設けることにより円環状ロック部材３４が半径方向に拡大することがなく、円環状ロック部材３４を小型化することができる。
【０１１０】
さらに、本実施形態の水路切換装置１０によれば、捩りバネ５０が中心軸線を中心とする円周上に等間隔に配置されているので、円環状ロック部材３４に作用する付勢力が均一化され、円環状ロック部材３４を円滑に回動させることができる。
【０１１１】
また、本実施形態の水路切換装置１０によれば、円環状ロック部材３４の回動が、鍔部３４ｇ及び段部４２ｂにより案内されるので、円環状ロック部材３４を円滑に回動させることができる。
【０１１２】
さらに、本実施形態の水路切換装置１０によれば、操作カム部３７ｃの移動が垂直面４２ｅにより案内されるので、操作カム部３７ｃによりカム面３４ｅが確実に押圧され、操作カム部３７ｃの移動により、効率的に円環状ロック部材３４を回動させることができる。
【０１１３】
また、本実施形態の水路切換装置１０によれば、ピボット部材４４が傾動される方向が隆起部４２ｆにより規制されるので、ピボット部材４４により複数の操作カム部３７ｃが同時に押し込まれるのを回避することができ、水路切換装置１を確実に作動させることができる。
【０１１４】
以上、本発明の好ましい実施形態を説明したが、上述した実施形態に種々の変更を加えることができる。特に、上述した実施形態においては、水路切換装置により３つの弁体が開閉されていたが、水路切換装置により開閉する弁体は、２つ、或いは４つ以上であっても良い。また、上述した実施形態においては、３つのカム構成部材及びリセットカム構成部材を１つのピボット部材（押し釦）により押圧操作するように構成されていたが、各カム構成部材ごとに押し釦等の操作部を設けることもできる。
【０１１５】
また、上述した実施形態においては、カム部付勢手段として、コイルバネ４８ａが設けられていたが、他の構成をカム部付勢手段として機能させることもできる。例えば、ゴム製の弾性部材等、第１カム構成部材３６ａを付勢する他の部材を、カム部付勢手段として機能させることもできる。さらに、上述した実施形態においては、第１弁体２６ａはコイルバネ５４により、閉弁方向に付勢されている。第１弁体２６ａが閉弁方向に移動されると、第１弁体２６ａの傾斜平面２７ｅに当接している操作棹４０ａは上方に向けて押されるため、第１カム構成部材３６ａも上方に向けて押される。従って、第１弁体２６ａを付勢しているコイルバネ５４を、カム部付勢手段として機能させることもできる。
【０１１６】
或いは、第１弁体２６ａは、水路切換装置１０に供給される給水圧によっても、閉弁方向に付勢されている。このため、第１カム構成部材３６ａは給水圧によっても上方に向けて付勢されることになるので、給水圧をカム部付勢手段として機能させることもできる。なお、第２カム構成部材３６ｂ、第３カム構成部材３６ｃを付勢する手段についても同様である。また、リセット用カム部付勢手段についても、同様に、コイルバネ４８ｂ以外の構成をリセット用カム部付勢手段として機能させることができる。
【符号の説明】
【０１１７】
１    本発明の実施形態によるハンドシャワーヘッド
２    シャワーヘッド本体
２ａ  把持部
２ｂ  散水部
２ｃ  開口部
４    散水板
４ａ  散水孔
４ｂ  散水孔
４ｃ  散水孔
６    押し釦
８    通水路形成部材
８ａ  接続部
８ｂ  先端部（開閉機構本体）
１０    水路切換装置
１２    第１散水室形成部材
１２ａ  第１水路
１２ｂ  第２水路
１２ｃ  第３水路
１４    第２散水室形成部材
１４ａ  凹部
１４ｂ  貫通穴
１４ｃ  貫通穴
１４ｄ  縁部
１６    第３散水室形成部材
１８    散水ノズル形成部材
１８ａ  散水ノズル
１８ｂ  散水ノズル
２０    回転ノズル
２０ａ  散水ノズル孔
２２    回転ノズル支持部材
２４    水路切換装置本体
２４ａ  ガイド部
２４ｂ  円形穴
２４ｃ  軸部
２６ａ  第１弁体
２６ｂ  第２弁体
２６ｃ  第３弁体
２７ａ  着座部
２７ｂ  支持フレーム部
２７ｃ  摺動突起
２７ｄ  バネ取付部
２７ｅ  傾斜平面
２８    弁座形成部材
２８ａ、２８ｂ、２８ｃ  弁孔
３２    円筒支持部材
３４    円環状ロック部材（回転ロック部材）
３４ａ  円環部
３４ｂ  突出部
３４ｃ  係合爪
３４ｄ  リセット用突出部
３４ｅ  カム面（押圧部）
３４ｆ  カム面
３４ｇ  鍔部
３６ａ  第１カム構成部材
３６ｂ  第２カム構成部材
３６ｃ  第３カム構成部材
３７ａ  取付穴
３７ｂ  鍔部
３７ｃ  操作カム部
３７ｄ  カム面
３７ｅ  先端面
３７ｆ  垂直面
３８    リセットカム構成部材
４０ａ、４０ｂ、４０ｃ  操作棹（操作部材）
４２    操作部カバー部材
４２ａ  開口部
４２ｂ  段部
４２ｃ  天井面
４２ｄ  内壁面
４２ｅ  垂直面
４２ｆ  隆起部
４３    ピボット受部材
４３ａ  ピボット凹部
４４    ピボット部材（傾動操作部材）
４４ａ  ピボット突起
４６    弾性カバー部材
４６ａ  開口部
４８ａ  コイルバネ（カム部付勢手段）
４８ｂ  コイルバネ（リセット用カム部付勢手段）
５０    捩りバネ（ロック部材付勢部材）
５２    パッキン
５４    コイルバネ
【要約】
【課題】小さなスペースに組み込むことができる水路切換装置を提供する。
【解決手段】本発明は、水路切換装置(10)であって、ロック位置と解除位置との間で回動可能な回転ロック部材(34)と、初期−押込位置の間で移動される複数の操作カム部(37c)と、各弁体(26)を開閉させる複数の操作部材(40)と、回転ロック部材から延びるように形成され、操作カム部を押込位置に保持する係合爪(34c)を備えた係合部と、を有し、複数の操作カム部のうちの第１の操作カム部が押し込まれると、係合部が押圧されて回転ロック部材がロック位置からロック解除位置に回動され、これにより、押込位置に保持されていた第２の操作カム部が初期位置に復帰されると共に、第１の操作カム部が押込位置まで押し込まれると、回転ロック部材がロック位置に復帰され、第１の操作カム部が押込位置に保持されることを特徴としている。
【選択図】図４【図１】
0005141999.tif 000002
【図２】
0005141999.tif 000003
【図３】
0005141999.tif 000004
【図４】
0005141999.tif 000005
【図５】
0005141999.tif 000006
【図６】
0005141999.tif 000007
【図７】
0005141999.tif 000008
【図８】
0005141999.tif 000009
【図９】
0005141999.tif 000010
【図１０】
0005141999.tif 000011
【図１１】
0005141999.tif 000012
【図１２】
0005141999.tif 000013